(57)【要約】【課題】  本発明は、撮影機会を逃さないようにしつつ、顔の状態に応じて人物の顔を綺麗に撮影する撮像装置を提供する。【解決手段】  撮像装置は、撮像素子、顔認識部、登録処理部、照合部、状態判定部、設定部及び撮像制御部を備える。撮像素子は、被写体の像を撮像して画像を生成する。顔認識部は、画像を解析して顔を認識する。登録処理部は、顔認識部が認識した顔とその顔の状態に応じた閃光発光の撮影条件とを関連付けてメモリに登録する。照合部は、本撮影前に構図確認用の画像から顔認識部が認識した撮影対象の顔と、メモリに登録されている顔とを照合する。状態判定部は、照合部の照合結果により撮影対象の顔が登録されている場合、その撮影対象の顔の状態を顔認識部の認識結果に基づいて判定する。設定部は、状態判定部の判定結果に基づいて、撮影条件のうちの何れかを設定する。撮像制御部は、設定部が設定した撮影条件に基づいて、本撮影を行なう。【選択図】    図１
2012178666.tif 000002
【特許請求の範囲】
【請求項１】
被写体の像を撮像して画像を生成する撮像素子と、
前記画像を解析して、顔を認識する顔認識部と、
前記顔認識部が認識した顔と該顔の状態に応じた閃光発光の撮影条件とを関連付けてメモリに登録する登録処理部と、
本撮影前に前記撮像素子が生成する構図確認用の画像から前記顔認識部が認識した撮影対象の顔と、前記メモリに登録されている顔とを照合する照合部と、
前記照合部の照合結果により前記撮影対象の顔が登録されている場合、該撮影対象の顔の状態を前記顔認識部の認識結果に基づいて判定する状態判定部と、
前記状態判定部の判定結果に基づいて、前記撮影条件のうちの何れかを設定する設定部と、
前記設定部が設定した撮影条件に基づいて、前記本撮影を行なう撮像制御部と、
を備えることを特徴とする撮像装置。
【請求項２】
請求項１に記載の撮像装置において、
前記撮像制御部は、適正露出を算出し、該適正露出を維持しつつ、前記撮影条件に応じた前記閃光発光の調光量で前記本撮影を行なうことを特徴とする撮像装置。
【請求項３】
請求項１又は請求項２に記載の撮像装置において、
前記顔認識部が前記構図確認用の画像から複数の顔を認識した場合、前記設定部は、前記複数の顔のうちで、登録済みの顔を優先して前記撮影条件を設定することを特徴とする撮像装置。
【請求項４】
請求項１又は請求項２に記載の撮像装置において、
前記登録処理部は、登録している顔の撮影回数を前記メモリに登録し、
前記顔認識部が前記構図確認用の画像から複数の顔を認識した場合、前記設定部は、前記複数の顔のうちで、前記撮影回数のより多い登録済みの顔を優先して前記撮影条件を設定することを特徴とする撮像装置。
【請求項５】
請求項１又は請求項２に記載の撮像装置において、
前記登録処理部は、前記顔認識部が認識した顔の重要度を前記メモリに登録し、
前記顔認識部が前記構図確認用の画像から複数の顔を認識した場合、前記設定部は、前記複数の顔のうちで、前記重要度のより高い登録済みの顔を優先して前記撮影条件を設定することを特徴とする撮像装置。
【請求項６】
請求項１又は請求項２に記載の撮像装置において、
前記顔認識部が前記構図確認用の画像から複数の顔を認識した場合、前記設定部は、前記複数の顔のうちで、撮影画面の中央により近い方の登録済みの顔を優先して前記撮影条件を設定することを特徴とする撮像装置。
【請求項７】
請求項１又は請求項２に記載の撮像装置において、
被写体距離を算出する被写体距離算出部をさらに備え、
前記顔認識部が前記構図確認用の画像から複数の顔を認識した場合、前記設定部は、前記複数の顔のうちで、前記被写体距離の近い方の登録済みの顔を優先して前記撮影条件を設定することを特徴とする撮像装置。
【請求項８】
請求項１又は請求項２に記載の撮像装置において、
撮影画面内に所定の領域を囲むエリア枠を設定するエリア枠設定部をさらに備え、
前記エリア枠外に登録済みの顔が存在する場合、前記設定部は、前記閃光発光の撮影条件を取り消し、
前記撮像制御部は、前記閃光発光を取りやめて前記本撮影を行なうことを特徴とする撮像装置。
【請求項９】
請求項１又は請求項２に記載の撮像装置において、
前記照合部の照合結果により前記撮影対象の顔が登録済みの乳幼児の顔であり、かつ正面を向いている場合、前記設定部は、前記閃光発光を行なわない撮影条件を設定し、
前記撮像制御部は、前記閃光発光を取りやめて前記本撮影を行なうことを特徴とする撮像装置。
【請求項１０】
請求項９に記載の撮像装置において、
被写体に閃光を間接的に照射する照明部をさらに備え、
前記照明部により前記閃光を間接的に照射する場合、前記設定部は、前記閃光を間接的に照射する撮影条件に変更し、
前記撮像制御部は、前記閃光を間接的に照射して前記本撮影を行なうことを特徴とする撮像装置。
【請求項１１】
請求項１から請求項１０の何れか１項記載の撮像装置において、
前記撮影条件を表示する表示部をさらに備え、
前記登録処理部により登録された撮影条件と異なる撮影条件で、前記撮像制御部が本撮影を行なった場合、前記登録処理部は、前記表示部を介して受け付けたユーザの選択入力に応じて、前記撮影条件を更新することを特徴とする撮像装置。
【発明の詳細な説明】
【技術分野】
【０００１】
本発明は、撮像装置に関する。
【背景技術】
【０００２】
近年、撮像装置の一種である電子カメラにおいては、人物の顔を綺麗に撮影するための機能を搭載した機種が知られている（例えば、特許文献１参照）。上記の従来技術の電子カメラでは、例えば閃光撮影のオン／オフ等の設定を予め人物単位で登録できる機能を有する。これにより、上記の従来技術の電子カメラでは、撮影時に電子カメラ側で認識した人物に応じて上記の設定を切り替えることができる。
【先行技術文献】
【特許文献】
【０００３】
【特許文献１】特開２００７−７４１４１号公報
【発明の概要】
【発明が解決しようとする課題】
【０００４】
しかし、上記の従来技術の電子カメラでは、撮影時に認識した人物に対し、予め設定した閃光撮影の調光量で撮影可能であるが、その人物の顔の状態に関係なく、一律に設定した調光量で閃光撮影がなされるため、必ずしも人物の顔が綺麗に撮影されるとは限らない。そのため、撮影状況によっては、ユーザは、撮影条件を再設定する等して、撮影機会を逃すおそれがある。
【０００５】
そこで、本発明は、撮影機会を逃さないようにしつつ、顔の状態に応じて人物の顔を綺麗に撮影する撮像装置を提供することを目的とする。
【課題を解決するための手段】
【０００６】
第１の発明に係る撮像装置は、撮像素子と、顔認識部と、登録処理部と、照合部と、状態判定部と、設定部と、撮像制御部とを備える。撮像素子は、被写体の像を撮像して画像を生成する。顔認識部は、画像を解析して、顔を認識する。登録処理部は、顔認識部が認識した顔とその顔の状態に応じた閃光発光の撮影条件とを関連付けてメモリに登録する。照合部は、本撮影前に撮像素子が生成する構図確認用の画像から顔認識部が認識した撮影対象の顔と、メモリに登録されている顔とを照合する。状態判定部は、照合部の照合結果により撮影対象の顔が登録されている場合、その撮影対象の顔の状態を顔認識部の認識結果に基づいて判定する。設定部は、状態判定部の判定結果に基づいて、撮影条件のうちの何れかを設定する。撮像制御部は、設定部が設定した撮影条件に基づいて、本撮影を行なう。
【０００７】
第２の発明は、第１の発明において、撮像制御部は、適正露出を算出し、その適正露出を維持しつつ、撮影条件に応じた閃光発光の調光量で本撮影を行なう。
【０００８】
第３の発明は、第１又は第２の発明において、顔認識部が構図確認用の画像から複数の顔を認識した場合、設定部は、複数の顔のうちで、登録済みの顔を優先して撮影条件を設定する。
【０００９】
第４の発明は、第１又は第２の発明において、登録処理部は、登録している顔の撮影回数をメモリに登録する。顔認識部が構図確認用の画像から複数の顔を認識した場合、設定部は、複数の顔のうちで、撮影回数のより多い登録済みの顔を優先して撮影条件を設定する。
【００１０】
第５の発明は、第１又は第２の発明において、登録処理部は、顔認識部が認識した顔の重要度をメモリに登録する。顔認識部が構図確認用の画像から複数の顔を認識した場合、設定部は、複数の顔のうちで、重要度のより高い登録済みの顔を優先して撮影条件を設定する。
【００１１】
第６の発明は、第１又は第２の発明において、顔認識部が構図確認用の画像から複数の顔を認識した場合、設定部は、複数の顔のうちで、撮影画面の中央により近い方の登録済みの顔を優先して撮影条件を設定する。
【００１２】
第７の発明は、第１又は第２の発明において、被写体距離算出部をさらに備える。被写体距離算出部は、被写体距離を算出する。顔認識部が構図確認用の画像から複数の顔を認識した場合、設定部は、複数の顔のうちで、被写体距離の近い方の登録済みの顔を優先して撮影条件を設定する。
【００１３】
第８の発明は、第１又は第２の発明において、エリア枠設定部をさらに備える。エリア枠設定部は、撮影画面内に所定の領域を囲むエリア枠を設定する。エリア枠外に登録済みの顔が存在する場合、設定部は、閃光発光の撮影条件を取り消す。撮像制御部は、閃光発光を取りやめて本撮影を行なう。
【００１４】
第９の発明は、第１又は第２の発明において、照合部の照合結果により撮影対象の顔が登録済みの乳幼児の顔であり、かつ正面を向いている場合、設定部は、閃光発光を行なわない撮影条件を設定する。撮像制御部は、閃光発光を取りやめて本撮影を行なう。
【００１５】
第１０の発明は、第９の発明において、照明部をさらに備える。照明部は、被写体に閃光を間接的に照射する。照明部により閃光を間接的に照射する場合、設定部は、閃光を間接的に照射する撮影条件に変更する。撮像制御部は、閃光を間接的に照射して本撮影を行なう。
【００１６】
第１１の発明は、第１から第１０の何れか１の発明において、表示部をさらに備える。表示部は、撮影条件を表示する。登録処理部により登録された撮影条件と異なる撮影条件で、撮像制御部が本撮影を行なった場合、登録処理部は、表示部を介して受け付けたユーザの選択入力に応じて、撮影条件を更新する。
【発明の効果】
【００１７】
本発明の撮像装置は、撮影機会を逃さないようにしつつ、顔の状態に応じて人物の顔を綺麗に撮影することができる。
【図面の簡単な説明】
【００１８】
【図１】本実施形態の電子カメラ１の構成例を説明するブロック図
【図２】美肌フラッシュモードの設定処理の一例を示すフローチャート
【図３】美肌フラッシュモードの設定処理の一例を説明する図
【図４】情報テーブル１００の一例を示す図
【図５】美肌フラッシュモードの撮影処理の一例を示すフローチャート
【図６】美肌フラッシュモードにおける主要被写体の選択処理の一例を説明する図
【図７】美肌フラッシュモードの本撮影の一例を説明する図
【図８】美肌フラッシュモードの更新処理の一例を示すフローチャート
【図９】美肌フラッシュモードの更新処理の一例を説明する図
【図１０】美肌フラッシュモード下でのバウンス撮影の一例を説明する図
【発明を実施するための形態】
【００１９】
以下、図面に基づいて本発明の実施の形態を詳細に説明する。ここでは、本発明の撮像装置の一実施形態である電子カメラを例に取り上げて説明する。
【００２０】
図１は、本実施形態の電子カメラ１の構成例を説明するブロック図である。ここで、本実施形態の電子カメラ１は、適正露出時における閃光発光（微発光）により被写体の顔を綺麗に撮影するモード（以下「美肌フラッシュモード」という）を有する。美肌フラッシュモード（美肌フラッシュ）は、ポートレートモードや風景モード等の既存の撮影シーンモードと独立に備えられる。美肌フラッシュモードでは、閃光発光による撮影を制御することにより、顔を美容化する撮影を行なうことができる。例えば、美肌フラッシュモードでは、閃光発光の発光量に応じて被写体の顔を白くする撮影を行なう。ここで、美肌フラッシュモードは、閃光撮影（以下「フラッシュ撮影」という）を必要としない十分に明るい環境（晴天屋外等の適性露出の条件下）での撮影に適している。美肌フラッシュモードの具体的な内容については、後述する。
【００２１】
電子カメラ１は、図１に示す通り、撮影光学系１０と、レンズ駆動部１１と、絞り１２と、絞り駆動部１３と、撮像素子１４と、信号処理部１５と、ＲＡＭ（Ｒａｎｄｏｍ  Ａｃｃｅｓｓ  Ｍｅｍｏｒｙ）１６と、画像処理部１７と、フラッシュメモリ１８と、記録インターフェース部（以下「記録Ｉ／Ｆ部」という）１９と、表示モニタ２０と、操作部２1と、レリーズ釦２２と、タッチパネル２３と、第１閃光装置２４と、ＣＰＵ（Ｃｅｎｔｒａｌ  Ｐｒｏｃｅｓｓｉｎｇ  Ｕｎｉｔ）２５と、ホットシュー２６と、第２閃光装置２７と、データバス２８とを備える。
【００２２】
このうち、信号処理部１５、ＲＡＭ１６、画像処理部１７、フラッシュメモリ１８、記録Ｉ／Ｆ部１９、表示モニタ２０及びＣＰＵ２５は、データバス２８を介して互いに接続されている。
【００２３】
撮影光学系１０は、ズームレンズと、フォーカスレンズとを含む複数のレンズ群で構成されている。レンズ駆動部１１は、撮影光学系１０内でズームレンズやフォーカスレンズのレンズ位置をＣＰＵ２５の指示に応じて光軸方向に調整する。なお、簡単のため、図１では、撮影光学系１０を１枚のレンズとして図示する。
【００２４】
絞り１２は、撮像素子１４に入射する単位時間当たりの光量を調節する。絞り駆動部１３は、絞り１２の開口量をＣＰＵ２５の指示に応じて調整する。
【００２５】
撮像素子１４は、撮影光学系１０及び絞り１２を通過した被写体の像を撮像し、アナログの画像信号（画像）を生成する。そして、撮像素子１４が出力するアナログの画像信号は、信号処理部１５に入力される。なお、撮像素子１４の撮像面には、Ｒ（赤）、Ｇ（緑）Ｂ（青）の３種類のカラーフィルタが例えばベイヤー配列で配置されている。また、撮像素子１４の電荷蓄積時間及び画像信号の読み出しは、タイミングジェネレータ（不図示）によって制御される。
【００２６】
ここで、撮像素子１４は、電子カメラの撮影モードにおいて、後述のレリーズ釦２２の全押し操作に応答して記録用の静止画像（本画像）を撮像する。また、撮像素子１４は、撮影待機時にも所定間隔毎に構図確認用の画像（スルー画像）を連続的に撮像する。
【００２７】
なお、撮像素子１４は、ＣＣＤ（Ｃｈａｒｇｅ  Ｃｏｕｐｌｅｄ  Ｄｅｖｉｃｅ）型、又は、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型のイメージセンサである。
【００２８】
信号処理部１５は、撮像素子１４が出力する画像信号に対してアナログ信号処理を施すアナログフロントエンド回路（ＡＦＥ）と、そのＡＦＥでアナログ信号処理が施された画像信号に対して、デジタル信号処理を施すデジタルフロントエンド回路（ＤＦＥ）とを有する。信号処理部１５のＡＦＥは、アナログの画像信号に対して相関二重サンプリングやゲイン調整をした後、アナログの画像信号をデジタルの画像信号に変換する（Ａ／Ｄ変換）処理等を行なう。ここで、信号処理部１５のＡＦＥは、画像信号のゲインを調整することで、ＩＳＯ感度に相当する撮像感度を調整できる。
【００２９】
また、信号処理部１５のＤＦＥは、Ａ／Ｄ変換されたデジタルの画像信号の補正処理等を行なう。この信号処理部１５が出力する画像信号は、ＲＧＢ信号の画像データとしてＲＡＭ１６に一時的に記録される。ＲＡＭ１６は、画像データを一時的に記録するバッファメモリである。
【００３０】
画像処理部１７は、ＲＡＭ１６に記録されている画像データを読み出し、必要に応じて各種の画像処理（例えば、色補間処理、ホワイトバランス等）を施す。
【００３１】
フラッシュメモリ１８は、電子カメラ１の制御を行なうプログラム等を予め記憶している不揮発性のメモリである。また、フラッシュメモリ１８は、美肌フラッシュモードで使用する情報テーブルを記憶する。この情報テーブルの内容の詳細については、後述する。
【００３２】
記録Ｉ／Ｆ部１９には、着脱自在の記録媒体３０を接続するためのコネクタ（不図示）が形成されている。そして、記録Ｉ／Ｆ部１９は、そのコネクタに接続された記録媒体３０にアクセスして画像の記録処理等を行なう。この記録媒体３０は、例えば、不揮発性のメモリカードである。図１では、コネクタに接続された後の記録媒体３０を示している。
【００３３】
表示モニタ２０は、例えば液晶表示媒体により構成される。表示モニタ２０は、ＣＰＵ２５の指示に応じて各種画像や電子カメラ１の操作メニュー等を表示する。
【００３４】
操作部２１は、ユーザの操作を受け付ける複数の釦（不図示）を有している。レリーズ釦２２は、半押し操作（撮像の準備動作開始）の指示入力と全押し操作（撮像の動作開始）との指示入力とを受け付ける。
【００３５】
タッチパネル２３は、表示モニタ２０上に設けられたタッチパネル表面に接触した指先等の位置を検出する。そして、タッチパネル２３は、検出した位置情報をＣＰＵ２５に出力することで撮影者からの操作を受け付ける。
【００３６】
第１閃光装置２４は、内蔵型の閃光装置であって、キセノン発光管、発光用のエネルギーを蓄えるメインコンデンサ、発光タイミングや光量を調整する発光制御回路等から構成されている。第１閃光装置２４は、閃光発光の制御条件に基づいて、閃光を発光する。
【００３７】
また、第２閃光装置２７は、外付けの閃光装置であって、第１閃光装置２４と同様にしてキセノン発光管、発光用のエネルギーを蓄えるメインコンデンサ、発光タイミングや光量を調整する発光制御回路等から構成されている。さらに、第２閃光装置２７は、いわゆるバウンス撮影をするために、被写体に照射光を間接的に照射するための機構を有する。ここで、第２閃光装置２７は、電子カメラ本体１の上面に形成されたホットシュー（接続用端子）２６に着脱自在に取り付けられる。そして、電子カメラ本体１と第２閃光装置２７とは、第２閃光装置２７の装着時にホットシュー（接続用端子）２６の接点を介して電気的に接続される。なお、第１閃光装置２４、第２閃光装置２７は、ＬＥＤ（Ｌｉｇｈｔ  Ｅｍｉｔｔｉｎｇ  Ｄｉｏｄｅ）を光源とする閃光装置であっても良い。
【００３８】
ＣＰＵ２５は、各種演算及び電子カメラ１の制御を行なうプロセッサである。ＣＰＵ２５は、フラッシュメモリ１８に予め格納されたシーケンスプログラムを実行することにより、電子カメラ１の各部の制御等を行なう。
【００３９】
また、ＣＰＵ２５は、顔認識部２５ａ、登録処理部２５ｂ、照合部２５ｃ、状態判定部２５ｄ、設定部２５ｅ、被写体距離算出部２５ｆ、撮像制御部２５ｇ及びエリア枠設定部２５ｈとしても機能する。
【００４０】
顔認識部２５ａは、画像を解析して顔を認識する。具体的には、顔認識部２５ａは、例えば、スルー画像から特徴点（特徴量）を抽出して顔領域（顔画像）、その顔領域の大きさ等を検出する顔検出処理を行なう。例えば、顔認識部２５ａは、特開２００１−１６５７３号公報等に記載された特徴点抽出処理によって顔領域を抽出する。上記の特徴点としては、例えば、眉、目、鼻、唇の各端点、顔の輪郭点、頭頂点や顎の下端点等が挙げられる。そして、顔認識部２５ａは、顔領域の位置情報を特定する。或いは、顔認識部２５ａは、タッチパネル２３を介してユーザ入力により指定された領域を顔領域として抽出しても良い。
【００４１】
さらに、顔認識部２５ａは、例えば、特開２００４−２２２１１８号公報等に記載された特徴点を用いた演算処理によって、検出した人物の年齢、性別等を判別する。これにより、顔認識部２５ａは、赤ちゃん（乳幼児）を認識することができる。より正確には、後述する登録処理部２５ｂは、赤ちゃんの顔の登録時にユーザ入力により赤ちゃんの生年月日をフラッシュメモリ１８に登録しても良い。そして、顔認識部２５ａは、電子カメラ１に内蔵の時計機能により、年齢を算出して、赤ちゃんであるか否かを認識するようにしても良い。
【００４２】
また、顔認識部２５ａは、表情判定を行なう。具体的には、顔認識部２５ａは、表情判定を行なう場合、上記の特徴量抽出処理により、顔の輪郭の形状、目の形状、口の形状等、人物の表情の特徴が表れる形状を顔の領域から抽出する。顔認識部２５ａは、抽出結果に基づいて、例えば口角（口の両脇）の上がり具合、目の大きさ等から顔の表情を判定する。
【００４３】
また、顔認識部２５ａは、上記の特徴点抽出処理によって横顔を検出する。具体的には、顔認識部２５ａは、顔の輪郭の形状に基づいて、横顔を検出する。
【００４４】
登録処理部２５ｂは、顔認識部２５ａが認識した顔とその顔の状態に応じた閃光発光の撮影条件とを関連付けてフラッシュメモリ１８に登録する。詳細は後述する。
【００４５】
照合部２５ｃは、本撮影前に撮像素子１４が生成する構図確認用のスルー画像から顔認識部２５ａが認識した撮影対象の顔と、フラッシュメモリ１８に登録されている顔とを照合する。例えば、照合部２５ｃは、周知のパターンマッチング処理により照合する。
【００４６】
照合部２５ｃの照合結果により撮影対象の顔が登録されている場合、状態判定部２５ｄは、撮影対象の顔の状態を顔認識部２５ａの認識結果に基づいて判定する。顔の状態としては、例えば、真顔、笑顔、横を向いている顔等が挙げられる。
【００４７】
設定部２５ｅは、状態判定部２５ｄの判定結果に基づいて、撮影条件のうちの何れかを設定する。詳細は後述する。
【００４８】
被写体距離算出部２５ｆは、被写体距離を算出する。具体的には、被写体距離算出部２５ｆは、撮影画面内に設定した測距点に対して、鮮鋭度（コントラスト状態）を示す評価値が最大値となる合焦位置を探索するコントラストＡＦ（ＡＦ：Ａｕｔｏ  Ｆｏｃｕｓ）の処理を行なう。これにより、被写体距離算出部２５ｆは、被写体距離を算出することができる。
【００４９】
撮像制御部２５ｇは、設定部２５ｅが設定した撮影条件に基づいて、記録用の静止画像を取得するための本撮影を行なう。ここで、撮像制御部２５ｇは、被写体輝度に基づいて適正露出を算出し、その適正露出を維持しつつ、撮影条件に応じた閃光発光の調光量で本撮影を行なうことが好ましい。
【００５０】
エリア枠設定部２５ｈは、撮影画面内に所定の領域を囲むエリア枠を設定する。エリア枠外に登録済みの人物がいる場合、設定部２５ｅは、閃光発光の撮影条件を取り消す。撮像制御部２５ｇは、閃光発光を取りやめて本撮影を行なう。
【００５１】
次に、本実施形態の電子カメラ１における美肌フラッシュモードの設定処理の一例を説明する。図２は、美肌フラッシュモードの設定処理の一例を示すフローチャートである。ここで、電子カメラ１の電源がオンされた後、図１に示す操作部２１が、先ず人物の顔（顔画像）を登録するための顔画像登録モードの指示入力を受け付けた場合、ＣＰＵ２５は、図２に示すフローの処理を開始させる。
【００５２】
ステップＳ１０１：ＣＰＵ２５は、顔画像の取得処理を行なう。具体的には、ＣＰＵ２５は、撮像素子１４を駆動させてスルー画像の撮像を開始する。その後、ＣＰＵ２５は、所定のフレームレート（例えば、３０ｆｐｓ）で撮像素子１４にスルー画像を生成させる。そして、ＣＰＵ２５は、表示モニタ２０にスルー画像を表示させる。
【００５３】
さらに、ＣＰＵ２５の顔認識部２５ａは、撮像素子１４が出力するスルー画像を解析して顔を認識する。そして、ＣＰＵ２５の登録処理部２５ｂは、顔画像をスルー画像から切り出してフラッシュメモリ１８に登録する。
【００５４】
ステップＳ１０２：ＣＰＵ２５は、美肌フラッシュモードの設定がオンになっているか否かを判定する。美肌フラッシュモードの設定がオンの場合（ステップＳ１０２：Ｙｅｓ）、ＣＰＵ２５は、ステップＳ１０３の処理に移行する。一方、美肌フラッシュモードの設定がオフの場合（ステップＳ１０２：Ｎｏ）、ＣＰＵ２５は、図２に示すフローの処理を終了させる。
【００５５】
ステップＳ１０３：ＣＰＵ２５は、閃光発光の調光量の設定処理を行なう。具体的には、ＣＰＵ２５は、例えば、被写体が正面を向いており、真顔である通常撮影時の第１調光量と、被写体が正面を向いており、笑顔である笑顔撮影時の第２調光量と、被写体が横向き（横顔）である横向き撮影時の第３調光量というように複数の調光量の値（Ｆｌａｓｈ  ｅｘｐ）を設定する。ＣＰＵ２５は、例えば、第１調光量として、＋０．３の値、第２調光量として、＋０．７の値、第３調光量として、＋０．３の値を設定する。ここで、例えば、＋０．３の値は、適正露出のＥＶ（Ｅｘｐｏｓｕｒｅ  Ｖａｌｕｅ）値に対して１／３段明るくした場合に相当する光量を顔にさらに照射することを意味する。なお、これらの調光量の種別や調光量の値は、一例であって限定されるものではない。したがって、ＣＰＵ２５は、ユーザ入力により調光量の値を受け付けても良い。
【００５６】
ステップＳ１０４：登録処理部２５ｂは、通常撮影時のオン／オフの設定処理を行なう。
【００５７】
図３は、美肌フラッシュモードの設定処理の一例を説明する図である。ＣＰＵ２５は、図３に示す通り、表示モニタ２０に美肌フラッシュモードの設定画面を表示させる。登録処理部２５ｂは、操作部２１を介して、通常撮影時のオン／オフ（ＯＮ／ＯＦＦ）の設定の選択入力を受け付ける。通常撮影時のオンの選択入力を受け付けた場合、登録処理部２５ｂは、第１調光量（＋０．３の値）の設定を有効にする。通常撮影時のオフの選択入力を受け付けた場合、登録処理部２５ｂは、第１調光量（＋０．３の値）の設定を無効にする。
【００５８】
ステップＳ１０５：登録処理部２５ｂは、笑顔撮影時のオン／オフの設定処理を行なう。具体的には、登録処理部２５ｂは、操作部２１を介して、笑顔撮影時のオン／オフの設定の選択入力を受け付ける。笑顔撮影時のオンの選択入力を受け付けた場合、登録処理部２５ｂは、第２調光量（＋０．７の値）の設定を有効にする。笑顔撮影時のオフの選択入力を受け付けた場合、登録処理部２５ｂは、第２調光量（＋０．７の値）の設定を無効にする。
【００５９】
ステップＳ１０６：登録処理部２５ｂは、被写体が横向き（横顔）撮影時のオン／オフの設定処理を行なう。具体的には、登録処理部２５ｂは、操作部２１を介して、被写体が横向き撮影時のオン／オフの設定の選択入力を受け付ける。横向き撮影時のオンの選択入力を受け付けた場合、登録処理部２５ｂは、第３調光量（＋０．３の値）の設定を有効にする。横向き撮影時のオフの選択入力を受け付けた場合、登録処理部２５ｂは、第３調光量（＋０．３の値）の設定を無効にする。
【００６０】
ステップＳ１０７：登録処理部２５ｂは、顔認識部２５ａが認識した顔の重要度をユーザ入力に基づいて、フラッシュメモリ１８に登録する。そして、ＣＰＵ２５は、図２に示すフローの処理を終了させる。
【００６１】
図４は、情報テーブル１００の一例を示す図である。図４では、図３に示すフローの処理を登録人物の顔毎に行なった結果を示している。情報テーブル１００では、顔毎の撮影回数の結果も随時上書きされて登録される。また、情報テーブル１００では、重要度として、家族単位（重要度１）、友人単位（重要度２）、知人単位（重要度３）の順で重要度が低くなることを表している。なお、フラッシュメモリ１８は、各々の顔画像を、情報テーブル１００の顔画像の欄と関連付けて同メモリの他の領域に記録する。つまり、情報テーブル１００の顔画像の欄には、一例として顔画像が記録されているメモリのアドレス先が関連付けて登録されている。
【００６２】
以上より、登録処理部２５ｂは、本撮影前に美肌フラッシュモードの設定処理を予め行なうことができる。すなわち、登録処理部２５ｂは、美肌フラッシュモードの設定処理において、発光量の設定の他に、真顔、笑顔、顔の向き、顔の角度等の顔の状態に応じた設定を行なうことができる。これにより、美肌フラッシュモードでは、皺等が目立ちやすい笑顔時においても綺麗な顔を残すことが可能な設定を行なうことができる。
【００６３】
また、美肌フラッシュモードでは、通常は美肌フラッシュの設定をオンにして用いるが、ユーザのニーズに応じて、笑顔時には自然な表情のまま記録するために美肌フラッシュの設定をオフにすることもできる。これにより、美肌フラッシュモードでは、ユーザの意図を反映することができる。また、横向き撮影時の美肌フラッシュモードでは、横向き時に発生しやすい首や顎の皺を目立ちにくくして首のラインを綺麗に見せるための設定を行なうことができる。
【００６４】
次に、本実施形態の電子カメラ１における美肌フラッシュモードの撮影処理の一例を説明する。図５は、美肌フラッシュモードの撮影処理の一例を示すフローチャートである。ここで、図１に示す操作部２１が、美肌フラッシュモードによる撮影の指示入力を受け付けた場合、ＣＰＵ２５は、図５に示すフローの処理を開始させる。
【００６５】
ステップＳ２０１：ＣＰＵ２５の顔認識部２５ａは、顔認識処理を行なう。具体的には、ＣＰＵ２５は、撮像素子１４を駆動させてスルー画像の撮像を開始する。そして、ＣＰＵ２５は、表示モニタ２０にスルー画像を表示させる。続いて、顔認識部２５ａは、スルー画像から顔を検出する。
【００６６】
ステップＳ２０２：ＣＰＵ２５の照合部２５ｃは、登録済みの顔を検出したか否かの判定を行なう。具体的には、照合部２５ｃは、ステップＳ２０１で検出した撮影対象の顔（顔画像）と、フラッシュメモリ１８に登録されている顔（顔画像）とを順次一人ずつ照合する。登録済みの顔を検出した場合（ステップＳ２０２：Ｙｅｓ）、ＣＰＵ２５は、ステップＳ２０３の処理に移行する。一方、登録済みの顔を検出しなかった場合（ステップＳ２０２：Ｎｏ）、照合部２５ｃは、ステップＳ２０２の処理を繰り返し、フラッシュメモリ１８に登録されている次の顔と照合を行なう。ただし、図５のフローチャートには図示していないが、撮影対象の顔に対してフラッシュメモリ１８に登録されている全ての顔と一致しない場合には、ＣＰＵ２５は、図５に示すフローの処理を終了させる。
【００６７】
ステップＳ２０３：ＣＰＵ２５の撮像制御部２５ｇは、美肌フラッシュモード下で適性露出か否かを判定する。具体的には、撮像制御部２５ｇは、自動露出（ＡＥ：Ａｕｔｏｍａｔｉｃ  Ｅｘｐｏｓｕｒｅ）により、撮像素子１４が生成する画像のデータの各画素における被写体輝度の値に基づいて露出を算出する。そして、撮像制御部２５ｇは、通常のフラッシュ撮影を必要としない十分に明るい環境（適性露出）であると判定した場合（ステップＳ２０３：Ｙｅｓ）、ＣＰＵ２５は、ステップＳ２０４の処理に移行する。一方、撮像制御部２５ｇは、通常のフラッシュ撮影を必要とする暗い環境であると判定した場合（ステップＳ２０３：Ｎｏ）、ＣＰＵ２５は、図５に示すフローの処理を終了させる。
【００６８】
ステップＳ２０４：ＣＰＵ２５の被写体距離算出部２５ｆは、被写体距離が閾値以下か否かを判定する。具体的には、被写体距離算出部２５ｆは、コントラストＡＦの処理を行なうことにより、被写体距離を算出する。つまり、フラッシュ撮影する場合、閃光が顔に照射できる距離であることが必要となる。そこで、被写体距離が閾値以下（ガイドナンバーに応じて、例えば、２ｍ以内）の場合（ステップＳ２０４：Ｙｅｓ）、ＣＰＵ２５は、ステップＳ２０５の処理に移行する。一方、被写体距離が閾値より離れている場合（ステップＳ２０４：Ｎｏ）、ＣＰＵ２５は、図５に示すフローの処理を終了させる。
【００６９】
ステップＳ２０５：照合部２５ｃは、撮影対象の顔が、登録済みの顔（赤ちゃん）であるか否かを判定する。登録済みの顔（赤ちゃん）である場合（ステップＳ２０５：Ｙｅｓ）、ＣＰＵ２５は、後述するステップＳ２１３の処理に移行する。一方、登録済みの顔（赤ちゃん）でない場合（ステップＳ２０５：Ｎｏ）、ＣＰＵ２５は、ステップＳ２０６の処理に移行する。
【００７０】
ステップＳ２０６：ＣＰＵ２５は、半押しの指示入力の有無を判定する。半押しの指示入力を受け付けた場合（ステップＳ２０６：Ｙｅｓ）、ＣＰＵ２５は、ステップＳ２０７の処理に移行する。一方、半押しの指示入力を受け付けない場合（ステップＳ２０６：Ｎｏ）、ＣＰＵ２５は、ステップＳ２０３の処理に戻る。
【００７１】
ステップＳ２０７：ＣＰＵ２５のエリア枠設定部２５ｈは、撮影画面内に特定領域を囲むエリア枠を設定する。そして、ＣＰＵ２５は、顔認識部２５ａの顔検出結果に基づいて、登録済みの人物がエリア枠内に存在するか否かを判定する。
【００７２】
図６は、美肌フラッシュモードにおける主要被写体の選択処理の一例を説明する図である。図６（ａ）において、エリア枠設定部２５ｈは、画面の周辺領域を除くエリア枠Ｗを設定する。この場合、撮影画面に占める特定領域の割合は、予め設定した値とする。ＣＰＵ２５は、登録済みの顔（例えば人物Ａ）がエリア枠Ｗ内に存在するか否かを判定する。登録済みの顔がエリア枠Ｗ内に存在する場合（ステップＳ２０７：Ｙｅｓ）、ＣＰＵ２５は、続いてステップＳ２０８の処理に移行する。一方、登録済みの人物がエリア枠Ｗ内に存在しない場合（ステップＳ２０７：Ｎｏ）、ＣＰＵ２５は、後述するステップＳ２１１の処理に移行する。これは、例えば、他の人物の表情や被写体のディテール（細部）が閃光に起因する白とび等の不自然さをなくすためである。
【００７３】
ステップＳ２０８：ＣＰＵ２５は、顔認識部２５ａの顔検出結果に基づいて、撮影画面内に複数の人物の顔を検出したか否かを判定する。撮影画面内に複数の人物の顔を検出した場合（ステップＳ２０８：Ｙｅｓ）、ＣＰＵ２５は、ステップＳ２０９の処理に移行する。一方、撮影画面内に複数の人物の顔を検出しなかった場合（ステップＳ２０８：Ｎｏ）、ＣＰＵ２５は、ステップＳ２１０の処理に移行する。
【００７４】
ステップＳ２０９：ＣＰＵ２５の設定部２５ｅは、複数の人物を検出した場合の美肌フラッシュモードの撮影条件の設定を行なう。具体的には、ＣＰＵ２５の状態判定部２５ｄは、複数の人物のうちで主要被写体となる顔の状態を判定する。そして、設定部２５ｅは、美肌フラッシュモードの撮影条件を設定する。例えば、図６（ｂ）に示す通り、状態判定部２５ｄが、登録済みの人物Ａと未登録の人物Ｘとが撮影画面内に存在すると判定した場合、設定部２５ｅは、登録済みの人物Ａを優先して主要被写体とみなし、顔の状態に応じて、撮影条件を設定する。
【００７５】
或いは、例えば、図６（ｃ）に示す通り、状態判定部２５ｄが、登録済みの人物Ｂと登録済みの人物Ｃとが撮影画面内に存在すると判定した場合、設定部２５ｅは、撮影画撮影画面の中央により近い方の登録済みの顔の人物Ｃを優先して撮影条件を設定する。この場合、設定部２５ｅは、情報テーブル１００を参照し、人物Ｃの美肌フラッシュモードの設定状態がオフになっていることにより、フラッシュ撮影は行なわず、適正露出下の状態で撮影を行なう設定をする。この理由は、構図によっては、人物Ｂの被写体距離が人物Ｃの被写体距離より近い場合、人物Ｂに合わせてフラッシュ撮影を行なうと、人物Ｃの顔がいわゆる白とびするおそれがあるためである。これにより、電子カメラ１は、白とびを防ぐことができる。
【００７６】
或いは、設定部２５ｅは、情報テーブル１００を参照し、撮影回数のより多い登録済みの顔を優先して撮影条件を設定しても良い。これにより、電子カメラ１は、撮影回数のより多い登録済みの顔を優先して綺麗に撮影することができる。
【００７７】
或いは、設定部２５ｅは、情報テーブル１００を参照し、重要度のより高い登録済みの顔を優先して撮影条件を設定しても良い。これにより、電子カメラ１は、重要度のより高い登録済みの顔を優先して綺麗に撮影することができる。
【００７８】
或いは、設定部２５ｅは、被写体距離の近い方の登録済みの顔を優先して撮影条件を設定しても良い。これにより、電子カメラ１は、被写体距離の近い方の登録済みの顔を優先して綺麗に撮影することができる。なお、複数の顔が検出された場合の設定部２５ｅによる設定については、ユーザ入力により、選択できるようにしても良い。設定部２５ｅの設定処理が終了すると、ＣＰＵ２５は、後述するステップＳ２１２の処理に移行する。
【００７９】
ステップＳ２１０：設定部２５ｅは、検出した人物の美肌フラッシュモードの撮影条件の設定を行なう。具体的には、状態判定部２５ｄは、登録済みの人物の顔の状態を判定する。続いて、設定部２５ｅは、情報テーブル１００を参照し、美肌フラッシュモードの撮影条件を設定する。そして、ＣＰＵ２５は、後述するステップＳ２１２の処理に移行する。
【００８０】
ステップＳ２１１：設定部２５ｅは、美肌フラッシュモードの設定を読み出さない撮影条件の設定を行なう。換言すると、設定部２５ｅは、閃光発光を行なわずに適正露出下での撮影条件を設定する。
【００８１】
ステップＳ２１２：ＣＰＵ２５は、全押しの指示入力の有無を判定する。全押しの指示入力を受け付けた場合（ステップＳ２１２：Ｙｅｓ）、ＣＰＵ２５は、ステップＳ２１８の処理に移行する。一方、全押しの指示入力を受け付けない場合（ステップＳ２１２：Ｎｏ）、ＣＰＵ２５は、ステップＳ２０６の処理に戻る。
【００８２】
ここで、ステップＳ２０５で、赤ちゃんを検出した後のフローの処理を引き続き説明する。なお、説明をわかりやすくするため、情報テーブル１００に示す人物Ｄを赤ちゃんとする。
【００８３】
ステップＳ２１３：ＣＰＵ２５は、半押しの指示入力の有無を判定する。半押しの指示入力を受け付けた場合（ステップＳ２１３：Ｙｅｓ）、ＣＰＵ２５は、ステップＳ２１４の処理に移行する。一方、半押しの指示入力を受け付けない場合（ステップＳ２１３：Ｎｏ）、ＣＰＵ２５は、ステップＳ２０３の処理に戻る。
【００８４】
ステップＳ２１４：ＣＰＵ２５は、ステップＳ２０７と同様、登録済みの人物（赤ちゃん）がエリア枠Ｗ内に存在するか否かを判定する。登録済みの人物がエリア枠Ｗ内に存在する場合（ステップＳ２１４：Ｙｅｓ）、ＣＰＵ２５は、ステップＳ２１５の処理に移行する。一方、登録済みの人物がエリア枠Ｗ内に存在しない場合（ステップＳ２１４：Ｎｏ）、ＣＰＵ２５は、ステップＳ２１１の処理に移行する。
【００８５】
ステップＳ２１５：状態判定部２５ｄは、顔認識部２５ａが横向きの顔（横顔）を検出したか否かの判定を行なう。横向きの顔を検出した場合（ステップＳ２１５：Ｙｅｓ）、ＣＰＵ２５は、ステップＳ２１６の処理に移行する。横向きの顔を検出しなかった場合（ステップＳ２１５：Ｎｏ）、ＣＰＵ２５は、ステップＳ２１１の処理に移行する。
【００８６】
ステップＳ２１６：設定部２５ｅは、赤ちゃん用の撮影条件を設定する。具体例として、図６（ｄ）に示す通り、赤ちゃん（人物Ｄ）が横向きの場合、設定部２５ｅは、情報テーブル１００を参照し、横向き撮影時の調光量として、＋０．３の値を設定する。
【００８７】
ステップＳ２１７：ＣＰＵ２５は、全押しの指示入力の有無を判定する。全押しの指示入力を受け付けた場合（ステップＳ２１７：Ｙｅｓ）、ＣＰＵ２５は、ステップＳ２１８の処理に移行する。一方、全押しの指示入力を受け付けない場合（ステップＳ２１７：Ｎｏ）、ＣＰＵ２５は、ステップＳ２１３の処理に戻る。
【００８８】
ステップＳ２１８：ＣＰＵ２５の撮像制御部２５ｇは、撮影条件に応じた本撮影を行なう。具体的には、撮像制御部２５ｇは、ステップＳ２０９、ステップＳ２１０、ステップＳ２１１、ステップＳ２１６の何れかのステップで設定された撮影条件に基づいて、本撮影を行なう。
【００８９】
図７は、美肌フラッシュモードの本撮影の一例を説明する図である。図７では、ステップＳ２１０で設定された撮影条件での本撮影を例示している。なお、図中、太陽Ｓを描いているが、逆光を意味するのではなく晴天環境を模式的に表している。ここで、撮像制御部２５ｇは、被写体輝度に基づいて適正露出を算出し、その適正露出を維持しつつ、設定部２５ｅにより設定された撮影条件に応じた閃光発光の調光量で本撮影を行なう。この場合、本実施形態では、第１閃光装置２４を用いてフラッシュ撮影を行なう。第２閃光装置２７を用いたフラッシュ撮影については、実施形態の補足事項の欄で説明する。
【００９０】
そして、ＣＰＵ２５は、撮像素子１４を駆動して本画像のアナログの画像信号を生成させる。信号処理部１５は、アナログの画像信号のＡ／Ｄ変換等を行なう。この信号処理部１５が出力するデジタルの画像信号は、ＲＡＭ１６に記録用の画像データとして一旦記録される。画像処理部１７は、ＲＡＭ１６に記録されている画像データを読み出し、必要に応じて各種の画像処理（例えば、色補間処理、ホワイトバランス等）を施す。ＣＰＵ２５は、記録Ｉ／Ｆ部１９を介して記録媒体３０にアクセスして画像の記録処理を行なう。
【００９１】
以上より、本実施形態の電子カメラ１によれば、適正露出を維持しつつ、特定の顔に対して閃光を照射することができる。なお、他の撮影モードによっては、フラッシュ撮影を行なわずに露出のゲイン（撮像感度）を上げることで顔を明るくすることもできるが、撮影画面全体の明るさが底上げされてしまうという問題が発生する。しかし、美肌フラッシュモードでは、例えば、閃光が被写体の顔に届く程度の微発光であれば良く、特定の顔に対して光を照射することができるので、その顔を綺麗に撮影することができる。そのため、美肌フラッシュモードでは、露出補正による周辺の白とび（いわゆる露出オーバー）を防ぐことができる。
【００９２】
次に、本実施形態の電子カメラ１における美肌フラッシュモードにおける設定変更の処理の一例を説明する。図８は、美肌フラッシュモードにおける設定更新の処理の一例を示すフローチャートである。
【００９３】
例えば、通常撮影時の美肌フラッシュモードの設定がオフ状態で、電子カメラ１がユーザ操作によりフラッシュ撮影（設定値：＋０．３）を行なった場合、ＣＰＵ２５は、図８に示すフローの処理を開始させる。
【００９４】
ステップＳ３０１：ＣＰＵ２５は、本撮影の撮影条件に基づいて、登録済みの美肌フラッシュモードの設定と異なる設定で撮影を実行したか否かを判定する。異なる設定で撮影を実行した場合（ステップＳ３０１：Ｙｅｓ）、ＣＰＵ２５は、ステップＳ３０２の処理に移行する。一方、異なる設定で撮影を実行しなかった場合（ステップＳ３０１：Ｎｏ）、ＣＰＵ２５は、図８に示すフローの処理を終了させる。
【００９５】
ステップＳ３０２：ＣＰＵ２５は、表示モニタ２０に美肌フラッシュモードの設定の更新画面を表示させる。
【００９６】
図９は、美肌フラッシュモードの設定更新の処理の一例を説明する図である。図９（ａ）では、一例としてＵＧＩ（Ｇｒａｐｈｉｃａｌ  Ｕｓｅｒ  Ｉｎｔｅｒｆａｃｅ）による設定の更新画面を表示モニタ２０に表示させる。
【００９７】
ステップＳ３０３：ＣＰＵ２５は、設定の更新の有無を判定する。具体的には、図９（ａ）に示す通り、「美肌フラッシュの設定を切り替えますか？」の問いかけに対し、タッチパネル２３が「はい」の選択入力を受け付けた場合（ステップＳ３０３：Ｙｅｓ）、ＣＰＵ２５は、ステップＳ３０４の処理に移行する。一方、タッチパネル２３が「いいえ」の選択入力を受け付けた場合（ステップＳ３０３：Ｎｏ）、ＣＰＵ２５は、図８に示すフローの処理を終了させる。
【００９８】
ステップＳ３０４：登録処理部２５ｂは、顔認識部２５ａが認識した撮影対象の顔であって登録済みの顔と更新後の撮影条件とを関連付けてフラッシュメモリ１８の情報テーブル１００に登録する。例えば、通常撮影時の調光量の設定値が０の場合、晴天環境下で調光量の設定値（＋０．３）で撮影した場合、登録処理部２５ｂは、ユーザ入力に応じて通常撮影時の調光量の設定値を＋０．３に更新する。或いは、例えば、笑顔撮影時の調光量の設定値が０の場合、晴天環境下で調光量の設定値（＋０．７）で撮影した場合、登録処理部２５ｂは、ユーザ入力に応じて通常撮影時の調光量の設定値を＋０．７に更新する。図９（ｂ）は、更新後の確認画面の一例を示している。そして、ＣＰＵ２５は、図８に示すフローの処理を終了させる。
【００９９】
上記の美肌フラッシュモードにおける設定更新の処理によれば、情報テーブル１００において最新の設定情報を上書きすることができる。これにより、ユーザは撮影時に撮影条件の再設定を行なう手間が省け、その分、撮影機会を逃さずに済む。
【０１００】
以上、本実施形態の電子カメラ１は、撮影機会を逃さないようにしつつ、顔の状態に応じて人物の顔を綺麗に撮影することができる。
【０１０１】
（実施形態の補足事項）
（１）上記実施形態では、第１閃光装置２４を用いてフラッシュ撮影を行なったが、第２閃光装置２７を用いてフラッシュ撮影を行なっても良い。この場合、上述した通り、第２閃光装置２７は、バウンス撮影をするために、被写体に照射光を間接的に照射するための機構を有する。
【０１０２】
図１０は、美肌フラッシュモード下でのバウンス撮影の一例を説明する図である。例えば、顔認識部２５ａが撮影対象として赤ちゃんを認識し、照合部２５ｃが情報テーブル１００を参照し、登録済みの人物Ｄであると認定したとする。そして、状態判定部２５ｄが、顔認識部２５ａの認識結果に基づいて、赤ちゃん（人物Ｄ）が真正面を向いていると判定したとする。真正面を向いている場合には、瞳孔の調整が未熟な赤ちゃんの顔に直接閃光を照射することは好ましくないため、設定部２５ｅは、第２閃光装置２７を用いたフラッシュ撮影（バウンス撮影）の設定に撮影条件を変更する。この場合、第２閃光装置２７からの閃光は、天井４１に反射して赤ちゃんに到達する。これにより、電子カメラ１は、赤ちゃんの顔に直接閃光を照射せずに済むと共に、赤ちゃんの顔をより綺麗に撮影することができる。
【０１０３】
（２）上記実施形態では、通常撮影時、笑顔撮影時、横向き撮影時、撮影回数、重要度等のパラメータを採用したが、上記のパラメータに限定されない。すなわち、上記実施形態では、例えば、さらに性別、年齢等も考慮して、２０代までの女性、３０代の女性、４０代の女性というように他のパラメータを適宜加えて、調光量の値を設定するようにしても良い。
【０１０４】
（３）上記実施形態では、登録処理部２５ｂは、顔認識部２５ａが認識した顔とその顔の状態に応じた閃光発光の撮影条件とを関連付けて情報テーブル１００に登録した。これは、一例であって、登録処理部２５ｂは、例えば、Ｅｘｉｆ（Ｅｘｃｈａｎｇｅａｂｌｅ  Ｉｍａｇｅ  Ｆｉｌｅ  Ｆｏｒｍａｔ）形式の画像ファイルを用いて、各顔画像の画像ファイルのヘッダファイル（メーカーノート領域）に閃光発光の撮影条件を関連付けて登録しても良い。この場合、照合部２５ｃは、各顔画像の画像ファイルを順次参照して、撮影対象の顔と照合すれば良い。
【０１０５】
（４）上記実施形態では、美肌フラッシュモードの設定処理において、スルー画像を解析して顔画像を登録した。ここで、上記実施形態では、さらに、記録媒体３０に既に記録されている画像を読み出して、その画像から顔を検出して、情報テーブル１００に登録するようにしても良い。
【０１０６】
（５）照合部２５ｃによる照合の精度を高めるため、上記実施形態では、顔の画像の登録時において、真正面の顔、横顔等、予め複数のポーズの顔を撮影して登録しても良い。
【符号の説明】
【０１０７】
１・・・電子カメラ、１４・・・撮像素子、２５ａ・・・顔認識部、２５ｂ・・・登録処理部、２５ｃ・・・照合部、２５ｄ・・・状態判定部、２５ｅ・・・設定部、２５ｇ・・
・撮像制御部
【図１】
2012178666.tif 000003
【図２】
2012178666.tif 000004
【図３】
2012178666.tif 000005
【図４】
2012178666.tif 000006
【図５】
2012178666.tif 000007
【図６】
2012178666.tif 000008
【図７】
2012178666.tif 000009
【図８】
2012178666.tif 000010
【図９】
2012178666.tif 000011
【図１０】
2012178666.tif 000012